(57)【要約】【課題】  画像データ取得部で取得した画像データを高速でプリント処理部に伝送してプリント処理を行えるシステムを構成する。【解決手段】  メディア受付端末Ａとフィルム受付端末Ｂを備え、これらと複数の写真プリント装置ＣとをＬＡＮを介して接続する。メディア受付端末Ａとフィルム受付端末Ｂでは、写真プリント装置Ｃの露光ヘッドの解像度に基づいてプリントサイズに対応した画素数となるプリントデータを取得して、写真プリント装置Ｃに伝送するように処理形態を設定した。【選択図】        図１
2006209611.tif 000002
【特許請求の範囲】
【請求項１】
画像データ取得部で取得した画像データを通信手段で出力処理部に伝送し、この出力処理部において媒体に出力する画像処理システムであって、
設定された出力サイズを出力処理部で出力する際の画素数を前記画像データ取得部において取得し、この画素数となる画像データを前記通信手段を介して前記出力処理部に伝送する画像データ管理手段を備えている画像処理システム。
【請求項２】
前記通信手段に前記出力処理部としてプリント処理部が複数接続され、前記画像データ管理手段は、前記画像データ取得部で取得した画像データを、前記出力サイズとしてのプリントサイズでプリントする際には、プリント処理を行う前記プリント処理部から、そのプリントサイズに対応する画素数を前記通信手段を介して取得するように処理形態が設定されている請求項１記載の画像処理システム。
【請求項３】
前記画像データ取得部で複数のオーダを受けた場合に夫々のオーダのプリント処理を前記複数のプリント処理部に振り分けて送り出す出力振分手段を前記通信手段に接続している請求項２記載の画像処理システム。
【請求項４】
前記画像データ取得部は、デジタルカメラで使用されたメディアから前記画像データを取得し、前記画像データ管理手段は、前記画像データ取得部で取得した前記画像データの画素を間引く処理、又は、前記画像データの画素を補間する処理によって前記出力サイズに対応した画素数を得るように処理形態を設定している請求項１又は２記載の画像処理システム。
【請求項５】
前記画像データ取得部が、取得する画素数を変更できるフィルムスキャナを備えて構成され、前記画像データ管理手段は、前記フィルムスキャナで取得する画像データの画素数を、前記出力サイズに対応した画素数に一致又は近似させるよう処理形態を設定している請求項１又は２記載の画像処理システム。
【請求項６】
前記画像データ取得部が、出力サイズを指定する画面と、取得した複数の前記画像データを一覧化した画面とを表示するディスプレイを備えると共に、このディスプレイの表示に基づいて出力サイズデータと、出力対象に指定された画像データとを取得するインタフェースを備えて構成され、
この画像データ取得部と前記出力処理部とが前記通信手段としてのＬＡＮを介して接続されている請求項１〜５のいずれか１項に記載の画像処理システム。
【発明の詳細な説明】
【技術分野】
【０００１】
本発明は、画像データ取得部で取得した画像データを通信手段で出力処理部に伝送し、この出力処理部において媒体に出力する画像処理システムに関する。
【背景技術】
【０００２】
上記のように構成された、画像処理システムと類似するものとして、クライアント（本発明の画像データ取得部）からのプリント注文をインターネット（本発明の通信手段）を介してサーバーシステムで受け、このサーバーシステムからの画像データをダウンロードして写真処理システム（本発明の画像処理システム）においてプリント処理し、このプリント処理が終了した場合に、プリント終了をクライアントに通知する電子メール送信手段とを備えたオンラインプリント注文システムが存在する（例えば、特許文献１参照）。
【０００３】
この特許文献１のシステムでは、サーバーシステムによってインターネット上に仮想店舗を提供し、デジタルカメラで撮影した画像データをクライアントシステムにおいて取り込んでプリント注文を行い、この注文に係る画像データをクライントシステムからサーバーシステムにアップロードできる。また、写真処理システムはサーバーシステムから画像データをダウンロードしてプリント処理を実行するように構成されている。
【０００４】
【特許文献１】特開２００３‐１５０５１８号公報  （段落番号〔００１７〕〜〔００２６〕、図１）
【発明の開示】
【発明が解決しようとする課題】
【０００５】
デジタルカメラの高性能化、低価格化が進んでおり、一般家庭においても、５００万画素を越える画素数のデジタルカメラを使用する機会も増大している。また、特許文献１に示されるシステムも商用化されており、商用化されているシステムでは、クライアントが指定したＤＰ店でプリントの仕上がりを受け取ることも可能であるため、使用するクライアントも増加している。
【０００６】
しかしながら、例えば、５００万画素を越える画素数の画像データはデータ量が大きいため、通信速度が低い通信手段を用いるクライアントにとっては伝送に時間が掛かり過ぎる不都合もあった。ちなみに、解像度が３００ｄｐｉ程度の性能の露光ヘッドを備えた写真プリント装置を用いてＬサイズ（８９×１２７ｍｍ）のプリントを行うに必要な画素数は１６０万画素程度であり、５００万画素ものデータは必要がないものであった。
【０００７】
また、デジタルカメラで撮影された画像データをプリントする場合に、画像データを保存したメディアをＤＰ店の店頭の受付端末にセットし、その端末においてプリントサイズとプリント枚数とを入力する形態でのプリントの注文も一般化している。
【０００８】
このようにＤＰ店の店頭でプリントの注文を受け付ける端末としては、その端末自体に備えた昇華型やインクジェット型のプリントユニットにおいてプリント処理を行うものも存在するが、この端末で受け付けた画像データをＬＡＮ等の通信手段を介して銀塩式等のプリント処理部に伝送してプリント処理を行うものも多く存在する。
【０００９】
このようにＬＡＮ等の通信手段を介して画像データを伝送する場合にも、プリントサイズと比較して過大な画素数の画像データを伝送することは、通信回線上のトラフィックが増大し通信に時間が掛かる点において改善の余地があった。
【００１０】
本発明の目的は、画像データ取得部で取得した画像データを高速でプリント処理部に伝送してプリント等の出力処理が可能なシステムを合理的に構成する点にある。
【課題を解決するための手段】
【００１１】
本発明の特徴は、画像データ取得部で取得した画像データを通信手段で出力処理部に伝送し、この出力処理部において媒体に出力する画像処理システムにおいて、
設定された出力サイズを出力処理部で出力する際の画素数を前記画像データ取得部において取得し、この画素数となる画像データを前記通信手段を介して前記出力処理部に伝送する画像データ管理手段を備えている点にある。
【００１２】
この構成により、画像データ取得部で取得した画像データを出力処理部に伝送する場合には、出力処理部で出力する際の画素数を、出力サイズに基づいて画像データ取得部において取得し、この画素数となる画像データを画像データ管理手段が通信手段を介して出力処理部に伝送することになり、無駄な画像データを伝送することがない。つまり、出力処理部としては媒体としての印画紙等に画像データをプリントするプリント装置や、媒体としてのＤＶＤ−Ｒ等に画像データを記録するドライブ装置を想定することができ、これらに画像データを伝送する際に、最適なデータ量を伝送するので、例えば、大容量の画像データを伝送するものと比較して伝送時間を短縮でき、しかも、伝送された画像データからプリント処理を行う場合にも無駄な処理を省いて迅速な処理を実現するのである。その結果、最適なデータ量となる画像データを伝送することにより、画質を低下させることがなく、高速な処理も可能なシステムが構成された。特に、本発明では、出力サイズに対応した画素数の画像データを伝送するので、出力処理部においては画素数を調節する処理が不要となり、出力処理速度を高めることも可能となる。
【００１３】
本発明は、前記通信手段に前記出力処理部としてプリント処理部が複数接続され、前記画像データ管理手段は、前記画像データ取得部で取得した画像データを、前記出力サイズとしてのプリントサイズでプリントする際には、プリント処理を行う前記プリント処理部から、そのプリントサイズに対応する画素数を前記通信手段を介して取得するように処理形態を設定しても良い。
【００１４】
この構成により、プリントサイズに対応した画素数が異なる性能のプリント処理部を備えた場合でも、通信手段で画像データを伝送する際には、そのプリント処理部におけるプリントサイズに対応した画素数を画像データ管理手段が取得し、そのプリント処理部に対応した画素数の画像データを伝送することが可能となる。
【００１５】
本発明は、前記画像データ取得部で複数のオーダを受けた場合に夫々のオーダのプリント処理を前記複数のプリント処理部に振り分けて送り出す出力振分手段を前記通信手段に接続しても良い。
【００１６】
この構成により、通信手段に複数のプリント処理部を接続し、画像データ取得部で複数のオーダを受けた場合には、出力振分手段がプリント処理を複数のプリント処理部に振り分けることが可能となるので、プリント処理を短時間で仕上げることができる。
【００１７】
本発明は、前記画像データ取得部は、デジタルカメラで使用されたメディアから前記画像データを取得し、前記画像データ管理手段は、前記画像データ取得部で取得した前記画像データの画素を間引く処理、又は、前記画像データの画素を補間する処理によって前記出力サイズに対応した画素数を得るように処理形態を設定しても良い。
【００１８】
この構成により、大きい画素数のデジタルカメラで撮影した画像データを、画像データ取得部で取得した場合には、画像データ管理手段が、画像データの画素を間引く処理によって画素数の低減を図り、携帯電話機のカメラ機能を用いて撮影された画像データを画像データ取得部で取得した場合には、画像データ管理手段が、画像データの画素を補間する処理によって画素数の増大を図ることになり、出力処理部において画素数を調節する処理が不要となる。
【００１９】
本発明は、前記画像データ取得部が、取得する画素数を変更できるフィルムスキャナを備えて構成され、前記画像データ管理手段は、前記フィルムスキャナで取得する画像データの画素数を、前記出力サイズに対応した画素数に一致又は近似させるよう処理形態を設定しても良い。
【００２０】
この構成により、写真フィルムから取得した画像データを通信手段を介して、例えば、出力処理部としてのプリント処理部に伝送してプリント処理を行う場合でも、プリント処理に最適な画素数となる画像データをフィルムスキャナで取得してプリント処理を行うことが可能となる。
【００２１】
本発明は、前記画像データ取得部が、出力サイズを指定する画面と、取得した複数の前記画像データを一覧化した画面とを表示するディスプレイを備えると共に、このディスプレイの表示に基づいて出力サイズデータと、出力対象に指定された画像データとを取得するインタフェースを備えて構成され、
この画像データ取得部と前記出力処理部とが前記通信手段としてのＬＡＮを介して接続されても良い。
【００２２】
この構成により、画像データ取得部のディスプレイに表示された画面において出力サイズと出力対象となる画像データとを指定することにより、通信手段としてのＬＡＮを介して画像データが出力処理部に伝送され、出力することが可能となる。
【発明を実施するための最良の形態】
【００２３】
以下、本発明の実施形態を図面に基づいて説明する。
〔システム構成〕
図１に示すように、画像データ取得部としての複数のメディア受付端末Ａ、及び、フィルム受付端末Ｂと、出力処理部としての複数の銀塩式の写真プリント装置Ｃ（プリント処理部としても機能する）と、プリント処理（出力の一例）を行わせるべき写真プリント装置を指定する出力振分手段としてのプリントマネージャＤとを通信手段としてのＬＡＮ（Local Area Network）を介して接続することにより、画像処理システムが構成されている。
【００２４】
この画像処理システムは、前記メディア受付端末Ａとフィルム受付端末ＢをＤＰ店の店内に設置し、前記写真プリント装置ＣをＤＰ店のカウンター内に設置し、メディア受付端末Ａに対して画像データが保存されたメディアＭ（後述する複数種のメディアの総称）を顧客がセットする、あるいは、フィルム受付端末Ｂに対して写真フィルムＦを顧客がセットすることにより、セルフサービスで画像データのプリント処理の注文を行い、この注文に基づき、前記プリントマネージャＤがメディア受付端末Ａあるいはフィルム受付端末Ｂで取得した画像データを写真プリント装置Ｃに送信することにより、写真プリント装置Ｃでのプリントを行えるよう構成したものである。
【００２５】
このシステムでは、前記メディア受付端末Ａ又は前記フィルム受付端末ＢをＤＰ店のオペレータが操作するものであっても良い。また、写真プリント装置として、インクジェット型のものや昇華型のもののように銀塩式以外のものを採用しても良い。更に、このシステムでは、メディア受付端末Ａやフィルム受付端末Ｂにおいてプリントのオーダを行った際に、プリント処理の料金の支払いを顧客に求めるものであっても良いが、本実施形態では、仕上がったプリントと引き換えに料金の支払いを顧客に求める形態で説明する。
【００２６】
前記メディア受付端末Ａは、処理装置１の上部位置に、タッチパネルが表示面に形成されたディスプレイ２を備えている。前記処理装置１にはメディア受付部３と、カメラ付き携帯電話機（図示せず）に接続するコネクタ４と、引換証５をプリントする引換証プリント部６とを備えている。
【００２７】
前記メディア受付部３は、コンパクトフラッシュ（商標）、ＳＤカード（商標）、メモリスティック（商標）等のフラッシュメモリで成る半導体型メディアＭｓから画像データを取得する複数種の半導体ドライブと、フロッピーディスク（商標）やＭＯ、あるいは、ＣＤ−ＲやＤＶＤ−Ｒ等のディスク型メディアＭｄからの画像データを取得するディスクドライブとを備えている。これら、メディア受付部３において画像データの取得が可能な記憶媒体をメディアＭと総称する。
【００２８】
前記フィルム受付端末Ｂは、現像済みの写真フィルムＦのコマ画像を光電変換によって画像データとして取得するフィルムスキャナ１０を備えると共に、前記メディア受付部３と同様に処理装置１の上部位置にはタッチパネルが表示面に形成されたディスプレイ２を備えている。前記処理装置１には引換証５をプリントする引換証プリント部６を備えている。
【００２９】
前記フィルムスキャナ１０は、下部に配置した光源からの光線を写真フィルムＦに照射し、この写真フィルムＦのコマ画像をズームレンズを介して上部のラインＣＣＤに導くように光学系を形成している。そして、コマ画像を取得する場合には、写真フィルムＦを長手方向に搬送し、この搬送と同期したタイミングでラインＣＣＤからデータを取得する処理が行われる。
【００３０】
また、このフィルムスキャナ１０では、画像データを粗く取得するプレスキャンと、プリントに必要な画素数の画像データを取得する本スキャンとを行えるように光電変換形態を切り換え得るように構成されている。
【００３１】
〔写真プリント装置〕
前記写真プリント装置Ｃは、図１及び図２に示すように、暗箱構造の筐体２０の内部に収容した印画紙マガジン２１に収容された長尺の印画紙Ｐ（媒体の一例）を前搬送機構２２が引き出し、カッター２３でプリントサイズに切断して露光ヘッド２４に供給して露光を行い、この露光を行った印画紙Ｐを後搬送機構２５によって筐体２０の内部の現像処理槽２６に供給して現像処理を行い、この後、乾燥処理部２７において乾燥を行った後に、ベルトコンベア２８上に送り出し、このベルトコンベア２８からソータ２９に送り込み、このソータ２９においてオーダ単位で回収するように構成されている。
【００３２】
この写真プリント装置Ｃでは、露光ヘッド２４で露光を行う際には、印画紙Ｐを設定速度で副走査方向に搬送しながら、露光ヘッド２４からのレーザビームによってプリントデータ（画像データ）の露光を行うように露光形態が設定されている。また、前記露光ヘッド２４は決まった解像度（３００ｄｐｉ程度）でプリントを行うため、プリントサイズと画素数との関係が決まっている。
【００３３】
〔ＬＡＮ〕
図１に示すように、前記ＬＡＮとしてＣＳＭＡ／ＣＤ（Carrier Sense Multiple Access with Collision Detection）方式のイーサネット（Ethernet）（商標）を採用している。前記複数のメディア受付端末Ａ、フィルム受付端末Ｂ夫々からのケーブル３０、及び、前記プリントマネージャＤ、写真プリント装置Ｃ夫々からのケーブル３０が接続するハブ（hub)３１を備えている。
【００３４】
前記メディア受付端末Ａは図３に示すように、マイクロプロセッサＣＰＵに信号のアクセスを行う入出力インタフェース４１を備えており、この入出力インタフェース４１に対して前記ディスプレイ２、メディア受付部３、コネクタ４、引換証５のプリントを行う引換証プリント部６夫々の間で信号のアクセスを行う。また、この入出力インタフェース４１に対してハードディスクＨＤと通信ユニット４２とが接続している。前記ＣＰＵのデータバスには半導体メモリ４３（ＲＡＭ／ＲＯＭ）、オペレーティングシステム４４、画像データ取得手段４５、オーダデータ取得手段４６、画像データ管理手段４７夫々が接続している。
【００３５】
同図に示すように、前記通信ユニット４２はケーブル３０を介してハブ３１に接続し、このハブ３１に対して前記プリントマネージャＤと写真プリント装置Ｃとが接続している。ちなみに、この処理装置１において制御を実現するためにはデータバスの他にコントロールバスやアドレスバス等を必要とするものであるが、複雑化を避けるために図面にはコントロールバスやアドレスバス、あるいは、インタフェース類を示していない。
【００３６】
前記オペレーティングシステム４４は、ディスプレイ２に対して必要な情報を表示し、ディスプレイ２に表示された情報に基づき、このディスプレイ２の表示面に形成されたタッチパネルに対する操作に基づいて画像データとオーダとを取得するようにＧＵＩ（Graphical User Interface）型の処理を実現する。
【００３７】
前記画像データ取得手段４５は、セットされたメディアＭｓ・Ｍｄの全ての画像データを取得する、あるいは、カメラ付き携帯電話機の全ての画像データを取得する処理を実行する。前記オーダデータ取得手段４６は、取得した画像データに対応したサムネイル画像を前記ディスプレイ２に一覧化して表示し、この表示に基づいてプリント対象（出力対象）とする画像データと、プリントサイズ（出力サイズの一例）と、プリント枚数とで成るオーダデータを取得する処理を行う。
【００３８】
前記画像データ管理手段４７は、プリントデータ生成部４７Ａと通信処理部４７Ｂとで構成されている。プリントデータ生成部４７Ａは前記オーダデータからプリントサイズデータを取得し、画像データをプリントサイズに対応した画素数となるプリントデータに変換する処理を実行する。このプリントデータ生成部４７Ａでプリントサイズに変換された画像データをプリントデータと称している。ちなみに、解像度が３００ｄｐｉの露光ヘッド２４でＬサイズ（８９×１２７ｍｍ）にプリントを行うプリントデータのデータ量は、約１６０万画素（１０５０ドット×１５００ドット程度）になる。
【００３９】
前記通信処理部４７ＢはプリントマネージャＤを介してプリント処理を実行する写真プリント装置Ｃを指定するデータと、その写真プリント装置Ｃでのプリントサイズに対応する画素数を示すデータとを取得する処理を行うと共に、指定された写真プリント装置Ｃに対するプリントデータの通信処理を行う。
【００４０】
前記フィルム受付端末Ｂは図４に示すように、マイクロプロセッサＣＰＵに信号のアクセスを行う入出力インタフェース４１を備えており、この入出力インタフェース４１に対して前記フィルムスキャナ１０、前記ディスプレイ２、引換証プリント部６夫々の間で信号のアクセスを行い、また、この入出力インタフェース４１に対してハードディスクＨＤと通信ユニット４２とが接続している。前記ＣＰＵのデータバスには半導体メモリ４３（ＲＡＭ／ＲＯＭ）、オペレーティングシステム４４、画像データ取得手段４５、オーダデータ取得手段４６、画像データ管理手段４７夫々が接続している。
【００４１】
ちなみに、この処理装置１において制御を実現するためにはデータバスの他にコントロールバスやアドレスバス等を必要とするものであるが、複雑化を避けるために図面にはコントロールバスやアドレスバス、あるいは、インタフェース類を示していない。
【００４２】
このフィルム受付端末Ｂの処理装置１の構成、及び、前記オペレーティングシステム４４、画像データ取得手段４５、オーダデータ取得手段４６夫々の機能は前記メディア受付端末Ａと同じであるので説明を省略する。
【００４３】
このフィルム受付端末Ｂを構成する前記画像データ管理手段４７は、プリントデータ生成部４７Ａと通信処理部４７Ｂとで構成されている。プリントデータ生成部４７Ａは前記オーダデータからプリントサイズデータを取得し、フィルムスキャナ１０において、そのプリントサイズに対応した画素数となるプリントデータを取得する処理（後述する本スキャン）を実行する。このプリントデータ生成部４７Ａで取得されたプリントサイズに対応した画像データをプリントデータと称している。
【００４４】
前記通信処理部４７ＢはプリントマネージャＤを介してプリント処理を実行する写真プリント装置Ｃを指定するデータと、その写真プリント装置Ｃでのプリントサイズに対応する画素数を示すデータとを取得する処理を行うと共に、指定された写真プリント装置Ｃに対するプリントデータの通信処理を行う。
【００４５】
〔通信形態：メディア受付端末〕
前記メディア受付端末Ａで受け付けた画像データのプリント処理を行う際の通信形態を図５のように示すことが可能である。つまり、前記ディスプレイ２にはメディアＭのセットを案内するガイダンスが表示され、このガイダンスに従ってメディア受付端末ＡにメディアＭをセットした場合には、前記画像データ取得手段４５が、そのメディアＭに保存されている全ての画像データがメディア受付端末ＡのハードディスクＨＤあるいは半導体メモリ４３に保存される。
【００４６】
次に、オーダデータ取得手段４６は、夫々の画像データに対応したサムネイル画像をディスプレイ２に一覧化して表示する。ディスプレイ２にサムネイル画像を表示する処理では、メディアＭにサムネイル画像が保存されている場合には、そのサムネイル画像を用い、メディアＭにサムネイル画像が保存されていない場合には、サムネイル画像を生成する。
【００４７】
ディスプレイ２にサムネイル画像を表示する画面がオーダ画面であり、このオーダ画面においてディスプレイ２の表示面に指を接触させてプリント対象（出力対象）とする画像データを指定し、画面中に表示されるメニューからプリントサイズと、プリント枚数とを指定することにより、オーダデータ取得手段４６がこれらのデータからオーダデータを生成する。
【００４８】
オーダデータが生成された場合には、前記画像データ管理手段４７を構成する通信処理部４７ＢがプリントマネージャＤに対して処理要求データを伝送する。これに対してプリントマネージャＤは写真プリント装置Ｃを指定するデータと、その写真プリント装置Ｃにおける解像度データ（プリントサイズと画素数との対応関係を示すデータ）とで成る指定データ、及び、処理予測データを送り返す。
【００４９】
前記複数の写真プリント装置Ｃは設定されたインターバルで処理状況データを前記プリントマネージャＤに伝送する処理を実行する。処理状況データとは、写真プリント装置Ｃでの処理の有無と、処理が継続している場合における処理進捗状況とを示すデータとして表すことが可能である。
【００５０】
これに対してプリントマネージャＤは処理状況データに基づいて、これら複数の写真プリント装置Ｃのうち、最も早くプリント処理が完了して、新たなオーダの処理が可能となる写真プリント装置Ｃを抽出して、その写真プリント装置Ｃを指定する指定データを生成する。この指定データは写真プリント装置Ｃを特定するコードデータで良いが、ＭＡＣ（Media Access Control）アドレスを用いても良い。
【００５１】
更に、この指定データには、指定した写真プリント装置Ｃの露光ヘッド２４の解像度を示すデータが含まれる。更に、このように指定した写真プリント装置Ｃにおいて、前記メディア受付端末Ａから処理要求があったオーダの処理を行った場合の処理完了日時を予測し、この予測結果を前記処理予測データとして生成する。そして、このプリントマネージャＤは、指定データと処理予測データとをメディア受付端末Ａに伝送するのである。
【００５２】
特に、このプリントマネージャＤは、同じメディア受付端末Ａにおいて複数のオーダを連続して受け付けた場合には、処理完了日時が最も早い写真プリント装置Ｃに優先的にオーダの処理を行わせるので、複数のオーダを複数の写真プリント装置Ｃに振り分けることになる。
【００５３】
前記指定データと処理予測データとをメディア受付端末Ａで受けた場合には、指定データに含まれる解像度データに基づいて前記画像データ管理手段４７のプリントデータ生成部４７Ａにおいて、前記解像度データとプリントサイズデータとにもとづいて前記画像データからプリントデータを生成する。このプリントデータは写真プリント装置Ｃにおいて、前記オーダデータで指定されたサイズのプリントを行う際に過不足のないデータ量である。この処理の後には、処理予測データに基づいてプリントの仕上がり日時と、オーダを特定するデータとを引換証５にプリントする。
【００５４】
この後には、メディア受付端末Ａの通信処理部４７Ｂが前記プリントデータとオーダデータとを、前記指定データで指定された写真プリント装置Ｃに伝送する。このプリントデータとオーダデータとが伝送された写真プリント装置Ｃではオーダデータに従ってプリントデータを、指定されたサイズの印画紙Ｐにプリントするプリント処理を実行するのである。
【００５５】
また、メディア受付端末Ａにおいてプリントデータを生成する場合、数百万画素を超えるデジタルカメラで撮影した画像データからＬサイズ（８９×１２７ｍｍ）のように比較的小さいサイズのプリントデータを生成する場合には、画素を間引く処理を行うことになるが、画素数の少ないカメラ付き携帯電話機で撮影された画像データからプリントデータを生成する場合には、画像データの画素を補間する処理によって画素数を増大させることになる。
【００５６】
これらの処理の後には、前記引換証５からオーダを特定し、プリント料金と引き換えにして顧客が注文したプリントを顧客に受け渡せるのである。
【００５７】
〔通信形態：フィルム受付端末〕
前記フィルム受付端末Ｂで受け付けた画像データのプリント処理を行う際の通信形態を図６のように示すことが可能である。つまり、前記ディスプレイ２には写真フィルムＦのセットを案内するガイダンスが表示され、このガイダンスに従ってフィルム受付端末Ｂのフィルムスキャナ１０に写真フィルムＦをセットした場合には、前記画像データ取得手段４５が、その写真フィルムＦのプレスキャンを行い、少ない画素数となる（粗い画像）サムネイル画像を取得する。
【００５８】
このように取得したサムネイル画像を前記オーダデータ取得手段が４６がディスプレイ２に一覧化して表示する。ディスプレイ２にサムネイル画像を表示する画面がオーダ画面であり、このオーダ画面においてディスプレイ２の表示面に指を接触させてプリント対象とする画像データを指定し、画面中に表示されるメニューからプリントサイズと、プリント枚数とを指定することにより、オーダデータ取得手段４６がこれらのデータからオーダデータを生成する。
【００５９】
オーダデータが生成された場合には、前記画像データ管理手段４７を構成する通信処理部４７ＢがプリントマネージャＤに対して処理要求データを伝送し、このプリントマネージャＤは写真プリント装置Ｃを指定するデータと、その写真プリント装置Ｃにおける解像度データ（プリントサイズと画素数との対応関係を示すデータ）とで成る指定データ、及び、処理予測データを送り返す。
【００６０】
この指定データと処理予測データとに関連する処理は前述したメディア受付端末Ａにおける処理と同じであるので説明を省略する。
【００６１】
このフィルム受付端末Ｂでは、指定データと処理予測データとを受けた場合には、指定データに含まれる解像度データに基づいて、プリントサイズに対応した画素数を前記フィルムスキャナ１０に設定して本スキャンを行うことによりプリントデータを取得する。このプリントデータは写真プリント装置Ｃにおいて、前記オーダデータで指定されたサイズのプリントを行う際に過不足のないデータ量である。この処理の後には、処理予測データに基づいてプリントの仕上がり日時と、オーダを特定するデータとを引換証５にプリントする。
【００６２】
このプリントサイズデータを生成した後には、フィルム受付端末Ｂの通信処理部４７Ｂが前記プリントデータとオーダデータとを、前記指定データで指定された写真プリント装置Ｃに伝送する。このプリントデータとオーダデータとが伝送された写真プリント装置Ｃではオーダデータに従ってプリントデータを、指定されたサイズの印画紙Ｐにプリントするプリント処理を実行するのである。
【００６３】
これらの処理の後には、前記引換証５からオーダを特定し、プリント料金と引き換えにして顧客が注文したプリントを顧客に受け渡せるのである。
【００６４】
このように、本発明によると、複数の端末で受け付けた画像データを複数の写真プリント装置Ｃに振り分けて処理を行えるので、何れの写真プリント装置Ｃも効率的に稼動させてプリント処理を行える。
【００６５】
写真プリント装置Ｃでプリントを行う場合には画像データを受け付ける端末において、写真プリント装置Ｃの露光ヘッド２４の解像度とプリントサイズに対応した画素数となるプリントデータを生成してＬＡＮを介して伝送するので、このＬＡＮで伝送されるプリントデータのデータ量を増大させることがなく、迅速な伝送を行える。また、プリントサイズに適した画素数のプリントデータが写真プリント装置Ｃに伝送するので、写真プリント装置Ｃにおいては画像処理を行わずとも要求されたプリントサイズのプリントを行え、写真プリント装置Ｃに処理に負担をかけることがない。
【００６６】
特に、フィルム受付端末Ｂにおいて、写真フィルムＦのプレスキャンを行ってプリントすべき画像を指定した後に、プリントサイズに適した画素数となるプリントデータを取得するように写真フィルムＦの本スキャンを行うものでは、写真フィルムから画像データを取得する際の無駄なスキャニングを回避して能率的な処理を可能にする。
【００６７】
〔別実施形態〕
本発明は、上記した実施の形態以外に以下のように構成しても良い。
【００６８】
（ａ）画像処理システムとして、ＣＤ−ＲやＤＶＤ−Ｒ等の記憶媒体（媒体の一例）にデータを記憶するドライブ（出力処理部の一例）と、画像データを取得する画像データ取得部とを通信手段を介して接続し、ドライブに対して通信手段を介して画像データを出力するように構成する。このように構成することにより、通信回線を介して伝送した画像データを記憶媒体に記憶できる。このように記憶した画像データは、プリント処理部でプリントする際において、設定されたサイズ（出力サイズ）に最適な画素数を有しており、画像データの画素数を調節する処理を行わずに済み、処理能率を高めるものとなる。
【００６９】
（ｂ）１つの受付端末と複数の写真プリント装置とで画像処理システムを構成する。この構成を採用した場合には、写真プリント装置夫々に異なる種類の印画紙をセットしておき、印画紙マガジンを交換する手間を掛けずに必要とする印画紙を用いたプリント処理を容易に行える。
【００７０】
（ｃ）複数の受付端末と１つの写真プリント装置とで画像処理システムを構成する。受付端末を複数備えることにより、特定の時刻に複数の顧客が訪れた場合でも対処できるばかりでなく、写真プリント装置Ｃを効率的に稼動させることが可能となる。
【００７１】
（ｄ）通信手段としてインターネットを用いる。インターネットを用いることにより、複数のＤＰ店の写真プリント装置と、受付端末とを組み合わせたシステムを構築できる。
【産業上の利用可能性】
【００７２】
本発明は、画像データ取得部が、家庭に設置されたコンピュータや個人が所有する携帯電話機であって良く、これらを用いて画像処理システムを構成することにより、一層容易にプリント処理を行える。
【図面の簡単な説明】
【００７３】
【図１】画像処理システムを示す斜視図
【図２】写真プリント装置の縦断正面図
【図３】メディア受付端末のブロック回路図
【図４】フィルム受付端末のブロック回路図
【図５】メディア受付端末からのプリント処理時の処理形態を示す図
【図６】フィルム受付端末からのプリント処理時の処理形態を示す図
【符号の説明】
【００７４】
２            ディスプレイ
１０          フィルムスキャナ
４７          画像データ管理手段
Ａ            画像データ取得部：メディア受付端末
Ｂ            画像データ取得部：フィルム受付端末
Ｃ            プリント処理部：写真プリント装置
Ｍ            メディア
【図１】
2006209611.tif 000003
【図２】
2006209611.tif 000004
【図３】
2006209611.tif 000005
【図４】
2006209611.tif 000006
【図５】
2006209611.tif 000007
【図６】
2006209611.tif 000008